(57)【特許請求の範囲】
【請求項１】
複数台のコンプレッサとこの作動用制御盤と切替ユニット及びこれに係合する通信ユニット等とからなるコンプレッサ装置を複数群配置し、夫々のコンプレッサ装置間を開閉バルブを介して連結し、前記開閉バルブの開時において夫々のコンプレッサ群を前記通信ユニットと切替ユニットとを介して互いに連通可能な状態に保持し得るように構成されるデュアル台数制御方法であって、該方法は、通常の使用時においては前記開閉バルブを閉止させて夫々のコンプレッサ装置を夫々独立に作動させて台数制御を行うようにし、夜間等において騒音防止を必要とする場合には、前記開閉バルブを開放し騒音防止を必要とする部位に設置されているコンプレッサ装置の作動を停止し、停止していないコンプレッサ装置によってコンプレッサの作動制御を行い、停止していないコンプレッサ装置におけるコンプレッサが故障した場合には、前記通信ユニット及び切替ユニットを介して停止しているコンプレッサ装置側のコンプレッサを停止していない作動用制御盤にて作動させ、停止していないコンプレッサ装置側の作動用制御盤が故障した場合には、通信ユニット及び切替ユニットを介して停止しているコンプレッサ装置の作動用制御盤によって停止していない側のコンプレッサ装置のコンプレッサの作動制御を行うようにすることを特徴とするコンプレッサのデュアル台数制御方法。
【請求項２】
前記開閉バルブが、昼間や夜間を区分して作動可能にするタイマにより作動されることを特徴とする請求項１に記載のコンプレッサのデュアル台数制御方法。
【請求項３】
前記タイマが、ウイクリータイマであることを特徴とする請求項２に記載のコンプレッサのデュアル台数制御方法。
【発明の詳細な説明】
【技術分野】
【０００１】
本発明は、既設建屋の他に新設建屋にコンプレッサ群が設置されている場合において、夫々のコンプレッサを単独に又は互いに連携づけて作動することができ、夜間における騒音防止やコンプレッサの故障に対して効果的に対応できるコンプレッサのデュアル台数制御方法に関する。
【背景技術】
【０００２】
既設建屋内にコンプレッサ群を配置している他に、遠隔に設置された新設建屋にもコンプレッサ群を設置する場合がある。この場合、通常の使用では夫々の建屋において独立にコンプレッサの台数コントロールを行うのが普通である。
一方、夜間等において騒音防止を要求される場合に、該当地に近接の建屋のコンプレッサの作動を停止する必要がある。また、夫々独立した建屋におけるコンプレッサが故障した場合に、他の建屋の未稼動のコンプレッサを一時的に作動して対処することが望まれる。また、夫々の建屋におけるコンプレッサの作動用制御盤が故障する場合もあり、この場合に他の建屋の停止中の作動用制御盤を使用することができればアクシデントに対応できる。
一方、複数のコンプレッサの台数制御に関する公知技術があり、例えば「特許文献１」や「特許文献２」に開示されている。
【特許文献１】特開平１０−８９７４４（図１）
【特許文献２】特開平６−２７２６６９（図１）
【発明の開示】
【発明が解決しようとする課題】
【０００３】
上記「特許文献１」の「特開平１０−８９７４４」の「空調機の台数制御方法及びその装置」は、平均電力を下げて契約電力が大きくならないように夫々のシーケンサを制御するものである。
また、上記「特許文献２」の「特開平６−２７２６６９」の「コンプレッサの運転台数制御方法及び装置」は、特定のコンプレッサのみが長く使用されないようにしてコンプレッサの使用の均一化を図るように台数制御を行うようにしたものである。
【０００４】
以上の「特許文献１」や「特許文献２」は複数台のコンプレッサの稼動台数の制御を行うものであり、台数制御については後に説明する本発明と似ている点もあるが、前者は使用電力の低減化を目的とし、後者は夫々のコンプレッサの使用時間の均一化を図り寿命の向上を図ることを目的としたものであり、本発明のように故障対応や騒音防止対応を行うものではない。
【０００５】
本発明は、以上の事情に鑑みて発明されたものであり、夫々異なる建屋に設置されているコンプレッサの制御を他の建屋の作動用制御盤によってコントロールできるようにすることによりアクシデントに対応でき、夜間等における使用停止時においても故障等のアクシデントに互いに対応できるコンプレッサのデュアル台数制御方法を提供することを目的とする。
【課題を解決するための手段】
【０００６】
本発明は、以上の目的を達成するために、請求項１の発明は、複数台のコンプレッサとこの作動用制御盤と切替ユニット及びこれに係合する通信ユニット等とからなるコンプレッサ装置を複数群配置し、夫々のコンプレッサ装置間を開閉バルブを介して連結し、前記開閉バルブの開時において夫々のコンプレッサ群を前記通信ユニットと切替ユニットとを介して互いに連通可能な状態に保持し得るように構成されるデュアル台数制御方法であって、該方法は、通常の使用時においては前記開閉バルブを閉止させて夫々のコンプレッサ装置を夫々独立に作動させて台数制御を行うようにし、夜間等において騒音防止を必要とする場合には、前記開閉バルブを開放し騒音防止を必要とする部位に設置されているコンプレッサ装置の作動を停止し、停止していないコンプレッサ装置によってコンプレッサの作動制御を行い、停止していないコンプレッサ装置におけるコンプレッサが故障した場合には、前記通信ユニット及び切替ユニットを介して停止しているコンプレッサ装置側のコンプレッサを停止していない作動用制御盤にて作動させ、停止していないコンプレッサ装置側の作動用制御盤が故障した場合には、通信ユニット及び切替ユニットを介して停止しているコンプレッサ装置の作動用制御盤によって停止していない側のコンプレッサ装置のコンプレッサの作動制御を行うようにすることを特徴とする。
【０００７】
また、請求項２の発明は、前記開閉バルブが、昼間や夜間を区分して作動可能にするタイマにより作動されることを特徴とする。
【０００８】
また、請求項３の発明は、前記タイマが、ウイクリータイマであることを特徴とする。
【発明の効果】
【０００９】
本発明の請求項１のコンプレッサのデュアル台数制御方法によれば、通常使用時には夫々の建屋内のコンプレッサの作動制御は独立に行っているが、故障対応や騒音防止を必要とする場合には、他の建屋の装置を使用することが可能であり、騒音防止をするために停止しているコンプレッサ装置によっても他のコンプレッサ装置群の作動コントロールが出来るようにしてアクシデントに対応できる効果を挙げることができる。
【００１０】
また、請求項２のコンプレッサのデュアル台数制御方法によれば、開閉バルブの開閉を対応目的に従ってコントロールすることができ、特別の作動管理をしなくてもコンプレッサの円滑運転とアクシデントに対応することができる。
【００１１】
また、請求項３のコンプレッサのデュアル台数制御方法によれば、コンプレッサ装置の作動が一週間を通して１つの作動基準によって管理でき、より確実で、効率的な管理ができる。
【発明を実施するための最良の形態】
【００１２】
以下、本発明のコンプレッサのデュアル台数制御方法の実施の形態を図面を参照して詳述する。
【実施例１】
【００１３】
以下の実施例１は既設建屋（以下、建屋１００と仮称する）と新設建屋（以下、建屋２００と仮称する）の２つの建屋内に設置されているコンプレッサ装置を使用した場合について説明するが、勿論これに限定するものではない。また、図示では夫々のコンプレッサ装置には４台のコンプレッサが設けられているが、勿論この台数も４台に限定するものではない。
【００１４】
図１に示すように、既設建屋１００用に設置されているコンプレッサ装置（以下、コンプレッサ装置１００Ａという）と新設建屋２００内に設置されているコンプレッサ装置（以下、コンプレッサ装置２００Ａという）には作動用制御盤、複数のコンプレッサ、切替ユニット及び通信ユニットがあるが、夫々については符号１００Ａ（２００Ａ）、１００Ｂ（２００Ｂ）、１００Ｃ（２００Ｃ）及び１００Ｄ（２００Ｄ）の符号を付して説明する。
【００１５】
コンプレッサ装置１００の作動用制御盤１００Ａには、切替ユニット１００Ｃ用のターミナル１、２、３、４と通信ユニット１００Ｄ用のターミナル１ａ、２ａ、３ａ、４ａが設けられている。ターミナル１、２、３、４は切替ユニット１００Ｃに連結し、ターミナル１ａ、１ｂ、１ｃ、１ｄは通信ユニット１００Ｄに夫々連結されている。また、切替ユニット１００Ｃには４台のコンプレッサ１００ＢのＮｏ１、Ｎｏ２、Ｎｏ３、Ｎｏ４が夫々連結されている。このコンプレッサＮｏ１乃至Ｎｏ４は作動用制御盤１００Ａの制御指令により切替ユニット１００Ｃを介して作動制御される。
【００１６】
一方、コンプレッサ装置２００Ａ側にもコンプレッサ装置１００Ａ側と同じく作動制御盤２００Ａ、コンプレッサ２００Ｂ、指令ユニット２００Ｃ及び通信ユニット２００Ｄが設けられ、コンプレッサ２００ＢとしてはＮｏ５、Ｎｏ６、Ｎｏ７、Ｎｏ８が夫々設けられている。また、コンプレッサ装置２００Ａの作動制御盤２００Ａには、切替ユニット２００Ｃ用のターミナル５、６、７、８と通信ユニット２００Ｄ用のターミナル５ａ、６ａ、７ａ、８ａが夫々設けられている。
【００１７】
また、図１に示すように、コンプレッサ装置１００側のレシーバタンク３Ａとコンプレッサ装置２００側のレシーバタンク３Ｂとの間には開閉バルブ１が設けられ、この開閉バルブ１はタイマ２によりコントロールされる。なお、本実施例ではタイマ２はウイクリータイマ２Ａとする。また、コンプレッサ装置１００とコンプレッサ装置２００との通信ユニット１００Ｄと２００Ｄは有線連結され（無線連結でも可）、この通信ユニットの送受信したシリアル信号（検出電波）は切替ユニット１００Ｃや２００Ｃに入力され、夫々のコンプレッサ１００Ｂや２００Ｂの作動コントロールが可能になる。また、切替ユニット１００Ｃや２００Ｃ及び通信ユニット１００Ｄや２００Ｄは、夫々の作動用制御盤１００Ａや２００Ａにより作動制御される。
次に、以上の構造のコンプレッサ装置１００や２００によるコンプレッサのデュアル台数制御の方法について説明する。
【００１８】
まず、昼間時等における通常のコンプレッサの使用時では、開閉バルブ１が閉止され、既設建屋と新設建屋におけるコンプレッサ装置１００と２００は夫々独立に稼動され、夫々のコンプレッサ１００Ｂと２００Ｂが独立に制御される。即ち、コンプレッサ１００ＢにおけるＮｏ１乃至Ｎｏ４のコンプレッサが使用量に応じて作動制御され、コンプレッサ２００ＢにおけるＮｏ５乃至Ｎｏ８のコンプレッサが使用量に応じて制御される。また、新設建屋が騒音防止を必要とする場所に建てられていたとしても、昼間ではその作動を停止する必要はない。
【００１９】
一方、夜間等において騒音防止を必要とする場合には、開閉バルブ１を開放すると共に新設建屋のコンプレッサ装置２００側を停止する。但し、この場合、お互いの通信ユニット１００Ｄと２００Ｄとは連通状態に保持する。この状態では、既設建屋側のコンプレッサ装置１００のみが作動していることになるが、コンプレッサ装置１００側のコンプレッサ１００Ｂに故障が生じた場合には（例えば、Ｎｏ１のコンプレッサが故障）空気使用量に対応できなくなる場合が発生する。このような場合は、既設建屋側の作動用制御盤１００Ａによって新設建屋側の通信ユニット２００Ｄと、切替ユニット２００Ｃを介してコンプレッサ装置２００側のコンプレッサ（例えば、Ｎｏ５のコンプレッサ）を作動し、Ｎｏ１のコンプレッサの替りにＮｏ５のコンプレッサを作動させて使用空気量の確保を行う。これによると、Ｎｏ５のコンプレッサの作動により騒音が発生するが、この処置はアクシデント対応であり、故障のコンプレッサＮｏ１の早急の修理等の実施により特別な問題は発生しないと考えられる。
【００２０】
更に、以上の状態において既設建屋側の作動用制御盤１００Ａが故障した場合には、新設建屋側の作動用制御盤２００Ａを稼動させ、作動用制御盤２００Ａにより既設建屋側のコンプレッサ１００Ｂの作動制御を行うことによりアクシデントに対応することができる。
【００２１】
以上説明した各動作は、アクシデントの発生に対しての対応であるが、アクシデントが何時発生するかが不明のため、通常の場合では開閉バルブ１をタイマ２により開閉制御してアクシデントの発生対応に円滑に対応するようにする処置が行われる。勿論、タイマ２をウイクリータイマ２Ａとして週単位のコントロールが可能になる。
【００２２】
本発明は、以上の説明のように、故障や騒音防止対応を主目的としたものであるが、通常の使用時に対しても夫々の建屋間でのコンプレッサ使用の補完ができ、各種のコンプレッサの稼動台数の制御が可能になる。
また、前記したように、本発明は以上の実施例の内容に限定するものでなく、建屋も更に多くのものでもよく、コンプレッサの台数も勿論以上のものに限定するものではない。また、同一技術的範疇のものが適用されることは勿論である。
【産業上の利用可能性】
【００２３】
本発明は、複数建屋におけるコンプレッサ装置の台数制御であるが、コンプレッサ装置としてはすべての型式のものに対応され、その利用範囲は広い。また、作動媒体としてはコンプレッサに限定するものではなく、その利用範囲は極めて広い。
【図面の簡単な説明】
【００２４】
【図１】本発明に係るコンプレッサのデュアル台数制御方法を説明するための構成図である。
【符号の説明】
【００２５】
１        開閉バルブ
２        タイマ
２Ａ      ウイクリータイマ
３Ａ      レシーバタンク
３Ｂ      レシーバタンク
１００    コンプレッサ装置
１００Ａ  作動用制御盤
１００Ｂ  コンプレッサ
１００Ｃ  切替ユニット
１００Ｄ  通信ユニット
２００    コンプレッサ装置
２００Ａ  作動用制御盤
２００Ｂ  コンプレッサ
２００Ｃ  切替ユニット
２００Ｄ  通信ユニット
【図１】
0005087460.tif 000002